(57)【要約】【課題】小型化が可能で、かつ、操作性のよい携帯電話機を提供する。【解決手段】キー操作部３を備えた上ケース１と、電池収納部１１を備えた下ケース２と、これらのケース１、２内に収納されたプリント基板１０とを備え、プリント基板１０は、上ケース１の主面１ａに対しては平行、かつ、電池収納部１１の底面１１ａに対しては傾斜して配置され、プリント基板１０の電池収納部１１の底面１１ａに近い部分には背の低い電子部品１２、電池収納部１１の底面１１ａに遠い部分には背の高い電子部品１３をそれぞれ配置する。これにより、電池収納部１１を上ケース１の主面に対して傾斜する、すなわち、下ケース２の底面も同様に上ケース１の主面１ａに対して傾斜するという構成にすることができ、したがって、ケースを小型化でき、ケースを手でつかんで操作する場合、ケースが自然に前方に傾斜し、キー操作部３をより操作しやすくなる。【選択図】図２
2005348291.tif 000002
【特許請求の範囲】
【請求項１】
キー操作部を備えた上ケースと、電池収納部を備えた下ケースと、これらのケースに収納されたプリント基板とを備え、前記上ケースの主面と前記下ケースの電池収納部の底面を傾斜して設けるとともに、前記プリント基板は、前記上ケースの主面にほぼ平行、かつ、前記下ケースの電池収納部の底面に対して傾斜して配置され、前記プリント基板の前記電池収納部の底面に近い部分には背の低い電子部品を、前記電池収納部の底面に遠い部分には背の高い電子部品をそれぞれ配置したことを特徴とする携帯電話機。
【請求項２】
前記上ケースに表示部を有し、前記表示部に近い側の前記プリント基板と前記電池収納部との間隔を、前記表示部に遠い側の前記プリント基板と前記電池収納部との間隔より大きくしたことを特徴とする請求項１記載の携帯電話機。
【請求項３】
キー操作部を備えた第１のケースと表示部を備えた第２のケースとをヒンジによって折り畳み可能に連結し、第１のケースを構成する上ケースにキー操作部、下ケースに電池収納部をそれぞれ備え、前記上ケースの主面と前記下ケースの電池収納部の底面を傾斜して設けるとともに、第１のケース内に収納されたプリント基板が、前記第１のケースを構成する上ケースの主面にほぼ平行、かつ、前記下ケースの電池収納部の底面に対して傾斜して配置され、前記プリント基板の前記電池収納部の底面に近い部分に背の低い電子部品を、前記電池収納部の底面に遠い部分に背の高い電子部品をそれぞれ配置したことを特徴とする携帯電話機。
【請求項４】
前記ヒンジ部に近い側の前記プリント基板と前記電池収納部との間隔が、前記ヒンジ部に遠い側の前記プリント基板と前記電池収納部との間隔より大きくなるように構成したことを特徴とする請求項３記載の携帯電話機。
【発明の詳細な説明】
【技術分野】
【０００１】
本発明は、キー操作部に対向する位置に電池収納部を設けた携帯電話機に関する。
【背景技術】
【０００２】
従来、キー操作部に対向する位置に電池収納部を設けた携帯電話機は、多く知られている（例えば、特許文献１参照）。
【０００３】
しかしながら、これらの携帯電話機は、いずれも、ケースをほぼ直方体とし、そこにキー操作部、表示部、電池収納部などをそれぞれケース内容量の関係で、単純に配置しただけのものであり、キー操作部に対向する位置に電池収納部を設けたものであっても、プリント基板は、キー操作部、電池収納部のいずれに対してもほぼ平行に配置されたものがほとんどである。
【０００４】
一方、携帯電話機とは技術分野の異なる内燃機関用コントローラなどにおいては、シールドケース内にプリント基板を配置するに際し、プリント基板をシールドケースに対し傾斜して配置し、背の高い起立型電子部品を一方に、背の低い大規模集積回路を他方に取付けたものが知られている（例えば、特許文献２参照）。
【特許文献１】特開２０００−１４１１３６号公報（第２−３頁、図１）
【特許文献２】特開平１０−４２８３号公報（第２−４頁、図１）
【発明の開示】
【発明が解決しようとする課題】
【０００５】
本発明は、プリント基板、キー操作部、電池収納部のいずれに対してもほぼ平行に配置することにより、ケースをほぼ直方体としていた携帯電話機において、更なる小型化を可能とし、かつ、操作性のよい携帯電話機を提供することを目的としている。
【０００６】
また、一例として示した上記従来の内燃機関用コントローラは、あくまでも内燃機関用コントローラであり、シールドケースそのものは、一方、他方ともに同一深さに形成されており、その中に如何にプリント基板を収納するかと言うだけのものである。すなわち、内燃機関用コントローラの場合には、耐ノイズ性を高めるために、大規模集積回路をシールドケースの高さ方向のほぼ中央部に設けることに加え、起立型の背の高い電子部品があるため、これを取付けるために、シールドケースを元からその高さ以上の高さにすることなどが条件となっており、シールドケース自体を小さくできるといっても自ずと限度があり、シールドケース自体は、依然大規模集積回路を装着する部分も起立型の電子部品を装着する部分も同じ高さにしなければならないという問題を有している。本発明は、大規模集積回路を装着する部分と起立型の電子部品を装着する部分の高さについても課題を解決した携帯電話機を提供することを目的としている。
【課題を解決するための手段】
【０００７】
本発明の携帯電話機は、キー操作部を備えた上ケースと、電池収納部を備えた下ケースと、これらのケースに収納されたプリント基板とを備え、上ケースの主面と下ケースの電池収納部の底面を傾斜して設けるとともに、プリント基板は、上ケースの主面に対してはほぼ平行、かつ、電池収納部の底面に対しては傾斜して配置され、プリント基板の電池収納部の底面に近い部分には背の低い電子部品を、電池収納部の底面に遠い部分には背の高い電子部品をそれぞれ配置した構成を有する。
【０００８】
この構成により、電池収納部の底面だけでなく、下ケースの主面を上ケースの主面に対
し傾斜して配置することができ、ケース自体を小さくすることができると共に、ケースを手でつかんでキー操作部を操作する場合、キー操作部が自然に前方に傾斜し、操作しやすくなるという作用を有する。
【０００９】
また、本発明の携帯電話機は、上ケースに表示部を有し、表示部に近い側のプリント基板と電池収納部との間隔が、表示部に遠い側のプリント基板と電池収納部との間隔より大きい構成を有する。
【００１０】
この構成により、ケースを手でつかんでキー操作部を操作する場合、キー操作部が自然と前方に傾斜し、表示部が見やすくなり、かつ、操作しやすくなるという作用を有する。
【００１１】
また、本発明の携帯電話機は、キー操作部を備えた第１のケースと表示部を備えた第２のケースとをヒンジによって折り畳み可能に結合し、第１のケースを構成する上ケースにキー操作部、下ケースに電池収納部をそれぞれ備え、上ケースの主面と下ケースの電池収納部の底面を傾斜して設けるとともに、第１のケース内に収納されたプリント基板が、第１のケースを構成する上ケースの主面に平行、かつ、電池収納部の底面に対して傾斜して配置され、プリント基板の電池収納部の底面に近い部分に背の低い電子部品を、電池収納部の底面に遠い部分に背の高い電子部品をそれぞれ配置した構成を有する。
【００１２】
この構成により、第１、第２のケースを、それぞれヒンジを中心に折り畳んだり、開いたりして使用することができると共に、閉じた状態では全体をより小型化でき、開いた状態でも、第１のケースを手でつかんでキー操作部を操作する場合には、キー操作部が自然に前方に傾斜し、表示部も前方に傾斜し、より見やすくより操作しやすくなるという作用を有する。
【００１３】
また、本発明の携帯電話機は、ヒンジ部に近い側のプリント基板と電池収納部との間隔が、ヒンジ部に遠い側のプリント基板と電池収納部との間隔より大きい構成を有する。
【００１４】
この構成により、第１のケースを手でつかんでキー操作部を操作する場合に、キー操作部、及び、表示部がそれぞれより前方に傾斜し、より見やすくより操作しやすくなるという作用を有する。
【発明の効果】
【００１５】
本発明は、キー操作部を備えた上ケースと、電池収納部を備えた下ケースと、これらのケース内に収納されたプリント基板とを備え、プリント基板は、上ケースの主面に対してほぼ平行、かつ、電池収納部の底面に対して傾斜して配置され、プリント基板の電池収納部の底面に近い部分には背の低い電子部品を、電池収納部の底面に遠い部分には背の高い電子部品をそれぞれ配置したものであり、電池収納部が上ケースの主面に対して傾斜する、すなわち、下ケースの主面を上ケースの主面に対し傾斜するようにでき、ケース自体を小型化できケースを手でつかんでキー操作部を操作する場合、キー操作部を自然に前方に傾斜させ、より操作しやすくすることが可能であるという効果を有する。特にキー操作部を有する下ケースを小型化できるので、より確実に下ケースを把持し、安定したキー操作を行えるという効果を奏する。
【発明を実施するための最良の形態】
【００１６】
以下、本発明の第一の実施の形態における携帯電話機について、図面を用いて説明する。
【００１７】
（実施の形態１）
図１は、本発明の第一の実施の形態における携帯電話機の斜視図、図２は、同じく本発
明の一実施の形態における携帯電話機の要部断側面図である。本発明の第一の実施の形態における携帯電話機は、図１、図２に示すように、開口部が互いに嵌合して結合される箱状の上ケース１、下ケース２を備えている。上ケース１の主面１ａには、テンキーや機能キー、ナビキ−といったキー操作部３や、液晶表示器などで構成された表示部４が設けられ、更に、上ケース１の主面両端部には、それぞれ送話器、受話器用の音孔５、６が形成されている。そして、キー操作部３は、基台７に設けられた複数のスイッチ８と、これらのスイッチ８を操作する操作ボタン９とで構成され、操作ボタン９は、それぞれ上ケース１の主面１ａに形成された操作ボタン貫通用の透孔を通して上ケース１の主面１ａより一部突出するように形成されている。また、上ケース１の内部には、プリント基板１０が主面１ａに対して平行になるように装着されている。
【００１８】
一方、下ケース２は、表示部４に対向する部分においてもっとも深くなり、キー操作部３に対向する部分において、表示部4より遠ざかるにしたがって浅くなるように、下ケース２の主面２ａが傾斜している。そして、キー操作部３に対向する部分の主面２ａには、この主面２ａに平行に電池収納部１１が設けられている。電池収納部１１は、キー操作部３に対向する部分の主面２ａに対して平行であるため、プリント基板１０に対しては、下ケース２のキー操作部に対向する部分の主面２ａと同様に傾斜している。すなわち、電池収納部１１は、表示部４より遠くなるほど、プリント基板１０より近くなるように傾斜しており、プリント基板１０と電池収納部１１の底面１１ａとの間には、表示部４に遠いほど小さく、近いほど大きな空間（間隔）が形成されている。
【００１９】
そして、大きな空間部分には、背の高い電子部品１３が装着され、小さな空間部分には背の低い電子部品１２が装着されている。
【００２０】
このように、本発明の第一の実施の形態によれば、プリント基板１０が上ケース１の主面１ａに対しては平行に、下ケース２の電池収納部の底面１１ａに対しては傾斜するように配置されているため、電池収納部１１の底部とプリント基板１０との間には、傾斜した空間が自ずと形成され、したがって、この空間を利用して、小さな空間には背の低い電子部品１２、大きな空間には背の高い電子部品１３をそれぞれ配置することができ、ケース全体を小型化し、効率よく電子部品１２、１３を装着することができる。そして、下ケース２の主面２ａを、キー操作部３に対向する部分において、表示部４に近い側で深く、表示部4より遠ざかるにしたがって浅くなるように傾斜しており、したがって、ケース１、２を手で持ってキー操作部３を操作した場合、キー操作部３、および、表示部４が自ずとその傾斜分だけ前方に傾斜することになり、キー操作部３を操作しやすく、表示部4をより見やすくすることができる。
【００２１】
（実施の形態２）
上記本発明の第一の実施の形態では、折り畳みできない棒状の携帯電話機について説明したが、本発明の第二の実施の形態では、折り畳み式携帯電話機に適用した場合について説明する。
【００２２】
図３は、本発明の第二の実施の形態にかかる折り畳み式携帯電話機の斜視図である。折り畳み式携帯電話機に適用する場合には、図３に示すように、上ケース1、下ケース２を、それぞれキー操作部３を備えた第１のケース１６用と、表示部４を備えた第２のケース１７用に分離し、これらを、それぞれヒンジ１８を介して互いに折り畳み可能に結合する。そして、キー操作部３を備えた第１のケース１６において、上ケース１の主面１ａがプリント基板１０に平行になり、下ケース２の主面２ａが傾斜した状態になるようにする。すなわち、この場合には、下ケース２がヒンジに近いほど深く、ヒンジ１８より遠いほど浅くなるように下ケース２の主面２ａを傾斜させ、プリント基板１０と電池収納部１１の底面１１ａとの間に、ヒンジ１８に近いほど大きく、遠いほど小さい空間１４が形成され
るようにする。このようにすれば、本発明の第二の実施の形態でも、図１に示した第一の実施の形態と同じように、小さい空間に背の低い電子部品を配置し、大きい空間に背の高い電子部品を載置して、空間を有効に利用することができ、キー操作部３を有する第１のケース１６を小型化することができる。そして、第１、第２のケース１６、１７を互いに開いて使用する場合でも、第１のケース１６の下ケース２における主面２ａが傾斜しているため、第１のケース１６を手でつかんでキー操作部３を操作する場合、第１、第２のケース１６、１７が従来に比してより前方に傾斜することになり、キー操作部３を操作しやすく、表示部４をより見やすくすることができる。
【００２３】
なお、上記説明した本発明の第二の実施の形態では、下ケース２についてのみ、深さを端部に行くほど浅くなるように変えているが、深さは、上ケース１、下ケース２、いずれで変えても構わない。要するに、プリント基板１０がキー操作部3を有する上ケース１の主面１ａに対しては平行で、これに対向する下ケース２の主面２ａに対しては傾斜していれば充分である。すなわち、このように構成されていれば、プリント基板１０と電池収納部１１の底面１１ａとの間に必ず傾斜した大きさの空間が形成されるため、この空間を利用して背の異なる電子部品１２、１３をそれぞれ有効に配置し、ケース全体を小型化することができる。そして、この空間を表示部４、又は、ヒンジ１８より遠ざかるにしたがって間隔が小さくなるように構成すれば、ケースを手で持って操作するとき、ケース全体がより前方に傾斜することになり、操作しやすく見やすい携帯電話機とすることができ、有用である。
【産業上の利用可能性】
【００２４】
本発明は、キー操作部を備えた上ケースと、電池収納用の凹部を備えた下ケースと、これらのケース内に収納されたプリント基板とを備え、プリント基板は、上ケースの主面に対して平行、かつ、電池収納部の底面に対して傾斜して配置され、プリント基板の電池収納部の底面に近い部分には背の低い電子部品、電池収納部の底面に遠い部分には背の高い電子部品をそれぞれ配置したものであり、電池収納部を上ケースの主面に対して傾斜する、すなわち、下ケースの主面も上ケースの主面に対して傾斜するというように構成することができ、したがって、ケースを小型化でき、ケースを手でつかんで操作する場合でも、ケースが自然に前方に傾斜し、キー操作部をより操作しやすくすることができ、有用である。
【図面の簡単な説明】
【００２５】
【図１】本発明の第一の実施の形態における携帯電話機の斜視図
【図２】本発明の第一の実施の形態における携帯電話機の要部断側面図
【図３】本発明の第二の実施の形態における携帯電話機の斜視図
【符号の説明】
【００２６】
１  上ケース
１ａ  上ケースの主面
２  下ケース
２ａ  下ケースの主面
３  キー操作部
４  表示部
５、６  音孔
７  基台
８  スイッチ
９  操作ボタン
１０  プリント基板
１１  電池収納部
１１ａ  電池収納部の底面
１２  背の低い電子部品
１３  背の高い電子部品
１６  第１のケース
１７  第２のケース
１８  ヒンジ
【図１】
2005348291.tif 000003
【図２】
2005348291.tif 000004
【図３】
2005348291.tif 000005